(57)【要約】【課題】マルチモードで構成された移動端末において、ハンドオーバー遂行によって新しいリンクに接続した後、以前のリンクとの接続及びネットワークとの連結を効率的を解除できる移動端末のハンドオーバー遂行後におけるリンク解除方法及び移動端末を提供する。【解決手段】マルチモードで構成された移動端末のハンドオーバー遂行後におけるリンク解除方法において、新しいリンクとの連結を設定する段階と、前記新しいリンクとの連結設定を知らせるトリガーイベントを発生させる段階と、以前のリンクとの連結解除を指示するトリガーイベントを発生させる段階とを含む移動端末のハンドオーバー遂行後におけるリンク解除方法を構成する。【選択図】図７
2008530942.tif 000002
【特許請求の範囲】
【請求項１】
マルチモードで構成された移動端末のハンドオーバー遂行後におけるリンク解除方法において、
新しいリンクとの連結を設定する段階と、
前記新しいリンクとの連結設定を知らせるトリガーイベントを発生させる段階と、
以前のリンクとの連結解除を指示するトリガーイベントを発生させる段階と、を含む移動端末のハンドオーバー遂行後におけるリンク解除方法。
【請求項２】
前記以前のリンクとの連結を解除する段階をさらに含むことを特徴とする請求項１に記載の移動端末のハンドオーバー遂行後におけるリンク解除方法。
【請求項３】
前記新しいリンクとの連結設定を知らせるトリガーイベントは、前記新しいリンクの媒体接近制御（Ｍｅｄｉｕｍ  Ａｃｃｅｓｓ  Ｃｏｎｔｒｏｌ：ＭＡＣ）階層から発生することを特徴とする請求項１または２に記載の移動端末のハンドオーバー遂行後におけるリンク解除方法。
【請求項４】
前記新しいリンクとの連結設定を知らせるトリガーイベントは、ハンドオーバー機能エンティティーに伝達されることを特徴とする請求項３に記載の移動端末のハンドオーバー遂行後におけるリンク解除方法。
【請求項５】
前記ハンドオーバー機能エンティティーは、媒介体独立ハンドオーバー（Ｍｅｄｉａ  Ｉｎｄｅｐｅｎｄｅｎｔ  Ｈａｎｄｏｖｅｒ：ＭＩＨ）機能エンティティーであることを特徴とする請求項４に記載の移動端末のハンドオーバー遂行後におけるリンク解除方法。
【請求項６】
前記以前のリンクとの連結解除を指示するトリガーイベントは、前記ＭＩＨ機能エンティティーから発生することを特徴とする請求項５に記載の移動端末のハンドオーバー遂行後におけるリンク解除方法。
【請求項７】
前記以前のリンクとの連結解除を指示するトリガーイベントは、前記以前のリンクの媒体接続制御階層及びネットワーク階層に伝達されることを特徴とする請求項６に記載の移動端末のハンドオーバー遂行後におけるリンク解除方法。
【請求項８】
前記以前のリンクのネットワーク階層が、前記以前のリンクに対する接続点に登録解除要請メッセージを伝送する段階と、
前記以前のリンクに対する接続点が、ホームエージェントに前記登録解除要請メッセージを伝達する段階とをさらに含むことを特徴とする請求項７に記載の移動端末のハンドオーバー遂行後におけるリンク解除方法。
【請求項９】
前記以前のリンクのネットワーク階層が、前記新しいリンクに対する接続点に登録解除要請メッセージを伝送する段階と、
前記以前のリンクに対する接続点が、ホームエージェントに前記登録解除要請メッセージを伝達する段階とをさらに含むことを特徴とする請求項７に記載の移動端末のハンドオーバー遂行後におけるリンク解除方法。
【請求項１０】
前記新しいリンクと前記以前のリンクは、異種網間のリンクであることを特徴とする請求項１に記載の移動端末のハンドオーバー遂行後におけるリンク解除方法。
【請求項１１】
前記以前のリンクの媒体接続制御階層に伝達されるイベントトリガーは、前記イベントトリガーが生成された根源地フィールド、前記イベントトリガーが伝達される目的地フィールド、及び前記移動端末のＭＡＣ住所フィールドを含むことを特徴とする請求項７に記載の移動端末のハンドオーバー遂行後におけるリンク解除方法。
【請求項１２】
前記以前のリンクのネットワーク階層に伝達されるイベントトリガーは、前記イベントトリガーが生成された根源地フィールド、前記イベントトリガーが伝達される目的地フィールド、及び前記移動端末が前記以前のリンクで接続していたネットワーク住所フィールドを含むことを特徴とする請求項７に記載の移動端末のハンドオーバー遂行後におけるリンク解除方法。
【請求項１３】
ハンドオーバーによって新しいリンクとの連結設定を知らせるトリガーイベントを発生させる前記新しいリンクの媒体接近制御（Ｍｅｄｉｕｍ  Ａｃｃｅｓｓ  Ｃｏｎｔｒｏｌ：ＭＡＣ）階層と、
前記新しいリンクとの連結設定を知らせるトリガーイベントを受けた後、以前のリンクとの連結解除を指示するトリガーイベントを発生させるハンドオーバー機能エンティティーと、
前記新しいリンクとの連結設定を知らせるトリガーイベントを受けた後、前記以前のリンクとの連結を解除する前記以前のリンクの媒体接近制御階層と、
前記新しいリンクとの連結設定を知らせるトリガーイベントを受けた後、前記以前のリンクに対する接続点または前記新しいリンクに対する接続点に登録解除要請メッセージを伝送するネットワーク階層と、を備えた移動端末。
【発明の詳細な説明】
【技術分野】
【０００１】
本発明は、マルチモードで構成された移動端末に関するものである。より具体的に、本発明は、マルチモード（例えば、ＩＥＥＥ８０２．１６とＩＥＥＥ８０２．１１との間のインターフェース、ＩＥＥＥ８０２．１６と３ＧＰＰ／３ＧＰＰ２との間のインターフェース、またはＩＥＥＥ８０２．１１と３ＧＰＰ／３ＧＰＰ２との間のインターフェース）で構成された移動端末が他の機種網にハンドオーバーを行うとき、以前に接続していた媒体接近制御階層のリンクとのネットワーク連結を解除する方法に関するものである。
【背景技術】
【０００２】
異種網間の媒介体独立ハンドオーバー（Ｍｅｄｉａ  Ｉｎｄｅｐｅｎｄｅｎｔ  Ｈａｎｄｏｖｅｒ：ＭＩＨ）に対する国際標準化を進行しているＩＥＥＥ８０２．２１は、異種網間にシームレスハンドオーバー（ｓｅａｍｌｅｓｓ  ｈａｎｄｏｖｅｒ）とサービス連続性（ｓｅｒｖｉｃｅ  ｃｏｎｔｉｎｕｉｔｙ）を提供することで、移動端末装置の使用者便宜性を向上させることを目的とし、基本的な要求事項としては、ＭＩＨ機能、イベントトリガー（Ｅｖｅｎｔ  Ｔｒｉｇｇｅｒ）及び情報サービス（Ｉｎｆｏｒｍａｔｉｏｎ  Ｓｅｒｖｉｃｅ：ＩＳ）を定義している。
【０００３】
移動端末（Ｍｏｂｉｌｅ  Ｓｕｂｓｃｒｉｂｅｒ  Ｓｔａｔｉｏｎ：ＭＳＳ）は、二つ以上のインターフェースタイプを支援するマルチモードノードである。前記インターフェースタイプは、ＩＥＥＥ８０２．３基盤のイーサネット（登録商標）などの有線形態のインターフェースタイプ、ＩＥＥＥ８０２．１１、ＩＥＥＥ８０２．１５、ＩＥＥＥ８０２．１６などのＩＥＥＥ８０２．ＸＸ基盤の無線インターフェースタイプ、または、３ＧＰＰ、３ＧＰＰ２などのセルラー標準化機構によって定義されたインターフェースタイプのうち何れか一つである。
【０００４】
図１は、マルチモードで構成された移動端末のプロトコル階層構成を示した図である。図１に示すように、マルチモードで構成された移動端末は、各モード別に物理階層（ｐｈｙｓｉｃａｌ  ｌａｙｅｒ：ＰＨＹ）と媒体接近制御階層（ｍｅｄｉｕｍ  ａｃｃｅｓｓ  ｃｏｎｔｒｏｌ  ｌａｙｅｒ：ＭＡＣ）を有し、ＩＰ階層の下にＭＩＨ階層が位置する。
【０００５】
媒介体独立ハンドオーバー（Ｍｅｄｉａ  Ｉｎｄｅｐｅｎｄｅｎｔ  Ｈａｎｄｏｖｅｒ：ＭＩＨ）は、ＩＥＥＥ８０２系列インターフェースの間、または、ＩＥＥＥ８０２系列インターフェースと、上述した３ＧＰＰ、３ＧＰＰ２などのセルラー標準化機構によって定義された非８０２系列インターフェースとの間で定義されるべきであり、モバイルＩＰ（Ｍｏｂｉｌｅ  ＩＰ）及びＳＩＰ（Ｓｅｓｓｉｏｎ  Ｉｎｉｔｉａｔｉｏｎ  Ｐｒｏｔｏｃｏｌ）などの上位階層の移動性支援プロトコルは、シームレスハンドオーバーサービスのために支援されるべきである。
【０００６】
ＭＩＨ機能は、ＩＰ階層の下に位置し、トリガーイベントと他の網に対する情報などの第２階層（Ｌａｙｅｒ  ２）からの入力値を用いて、ハンドオーバー処理過程を容易にする。また、ＭＩＨ機能は、ハンドオーバー過程に影響を及ぼせる使用者政策（ｐｏｌｉｃｙ）及び構成（ｃｏｎｆｉｇｕｒａｔｉｏｎ）基盤の入力値を含み、モバイルＩＰ（ｍｏｂｉｌｅ  ＩＰ）またはＳＩＰなどの第３階層（Ｌａｙｅｒ  ３）エンティティーとＭＩＨ機能との間には、一般的なインターフェースが定義される。これらインターフェースは、第１階層（物理階層）、第２階層（媒体接近制御階層）及び移動性管理に対する情報を提供し、ＭＩＨ階層は、イベント及び情報サービスの助けによって下位階層及びネットワークに対する情報を獲得する。
【０００７】
したがって、ＭＩＨ機能は、移動端末内の他のリンクの状態をモニターして制御するために上位階層に位置すべきである。図２は、ＭＩＨ機能を含む移動端末及びネットワークの機能的エンティティー及び伝送プロトコルを示し、図２の点線は、プリミティブ（Ｐｒｉｍｉｔｉｖｅ）、イベントトリガー（Ｅｖｅｎｔ  Ｔｒｉｇｇｅｒ）などを示す。
【０００８】
迅速なハンドオーバーのために、ネットワーク階層は、可能な限り速く連結を再設定できるようにリンク階層からの情報を用いる必要がある。リンク階層イベントは、使用者の移動を予測するのに役立つもので、移動端末及びネットワークが予めハンドオーバーを準備するのに役立つ。
【０００９】
ハンドオーバーのためのトリガーは、物理階層（ＰＨＹ）、媒体接近制御階層（ＭＡＣ）から開始されるが、このようなトリガーに対する根源地は、ローカルスタック（Ｌｏｃａｌ  Ｓｔａｃｋ）または遠隔スタック（Ｒｅｍｏｔｅ  Ｓｔａｃｋ）である。図３は、トリガーモデルに対する構造を示す。
【００１０】
イベントトリガーは、現在の信号に対する状態、他のネットワークの状態変化及び未来に予測される変化を提供し、物理階層と媒体接近制御階層との間の変化、及び特定ネットワークの属性変化を含む。
【００１１】
イベントタイプは、物理階層イベント（ＰＨＹ  ｌａｙｅｒ  ｅｖｅｎｔ）、媒体接近制御階層イベント（ＭＡＣ  ｌａｙｅｒ  ｅｖｅｎｔ）、管理イベント（Ｍａｎａｇｅｍｅｎｔ  ｅｖｅｎｔ）、第３階層イベント（Ｌ３  ｅｖｅｎｔ）、応用イベント（Ａｐｐｌｉｃａｔｉｏｎ  ｅｖｅｎｔ）などに分類される。
【００１２】
基本的なトリガーイベントは、次の通りである。
【００１３】
まず、  ‘Ｌｉｎｋ＿Ｕｐ’は、特定のリンクインターフェース上で第２階層連結が設定され、第３階層パケットが上位階層から伝送されるときに発生する。このとき、リンクを構成する全ての第２階層の構成は、完了したと判断する。このとき、イベント根源地は、‘Ｌｏｃａｌ  ＭＡＣ’と‘Ｒｅｍｏｔｅ  ＭＡＣ’である。表１は、‘Ｌｉｎｋ＿Ｕｐ’のパラメーターを示している。
【００１４】
【表１】
2008530942.tif 000003
‘Ｌｉｎｋ＿Ｄｏｗｎ’は、特定のインターフェース上で第２階層連結が解除され、これ以上第３階層パケットを伝送できないときに発生する。イベント根源地は、‘Ｌｏｃａｌ  ＭＡＣ’である。表２は、‘Ｌｉｎｋ＿Ｄｏｗｎ’のパラメーターを示している。
【００１５】
【表２】
2008530942.tif 000004
‘Ｌｉｎｋ＿Ｇｏｉｎｇ＿Ｄｏｗｎ’は、第２階層連結が特定時間内に‘ｌｉｎｋ  ｄｏｗｎ’になると予測されるときに発生し、ハンドオーバー手順を初期化するためのシグナルにもなる。イベント根源地は、‘Ｌｏｃａｌ  ＭＡＣ’と‘Ｒｅｍｏｔｅ  ＭＡＣ’である。表３は、‘Ｌｉｎｋ＿Ｇｏｉｎｇ＿Ｄｏｗｎ’のパラメーターを示している。
【００１６】
【表３】
2008530942.tif 000005
‘Ｌｉｎｋ＿Ｇｏｉｎｇ＿Ｕｐ’は、第２階層連結が特定時間内に‘Ｌｉｎｋ＿Ｕｐ’になると予測されるときに発生し、ネットワークの初期化に時間が長くかかる場合に用いられる。イベント根源地は、‘Ｌｏｃａｌ  ＭＡＣ’と‘Ｒｅｍｏｔｅ  ＭＡＣ’である。表４は、‘Ｌｉｎｋ＿Ｇｏｉｎｇ＿Ｕｐ’のパラメーターを示している。
【００１７】
【表４】
2008530942.tif 000006
‘Ｌｉｎｋ＿Ｅｖｅｎｔ＿Ｒｏｌｌｂａｃｋ’は、‘Ｌｉｎｋ＿Ｇｏｉｎｇ＿Ｕｐ’または‘Ｌｉｎｋ＿Ｇｏｉｎｇ＿Ｄｏｗｎ’と結合して用いられる。これは、‘Ｌｉｎｋ＿Ｇｏｉｎｇ＿Ｕｐ’または‘Ｌｉｎｋ＿Ｇｏｉｎｇ＿Ｄｏｗｎ’が伝送されたが、特定時間内に‘Ｌｉｎｋ＿ＵＰ’または‘Ｌｉｎｋ＿Ｄｏｗｎ’がこれ以上発生しないと予測されるときに発生するトリガーである。イベント根源地は、‘Ｌｏｃａｌ  ＭＡＣ’と‘Ｒｅｍｏｔｅ  ＭＡＣ’である。表５は、‘Ｌｉｎｋ＿Ｅｖｅｎｔ＿Ｒｏｌｌｂａｃｋ’のパラメーターを示している。
【００１８】
【表５】
2008530942.tif 000007
‘Ｌｉｎｋ＿Ａｖａｉｌａｂｌｅ’は、新しい特定のリンクが利用可能であることを示し、現在、移動端末が接続している基地局やアクセスポイント（Ａｃｃｅｓｓ  Ｐｏｉｎｔ：ＡＰ）に比べて、新しい基地局やアクセスポイントがより良いリンク品質を提供できる可能性を示す。イベント根源地は、‘Ｌｏｃａｌ  ＭＡＣ’と‘Ｒｅｍｏｔｅ  ＭＡＣ’である。表６は、‘Ｌｉｎｋ＿Ａｖａｉｌａｂｌｅ’のパラメーターを示している。
【００１９】
【表６】
2008530942.tif 000008
‘Ｌｉｎｋ＿Ｐａｒａｍｅｔｅｒｓ＿Ｃｈａｎｇｅ’は、リンクパラメーター値の変化が特定の限界水準を越えたときに発生するイベントである。これは、リンク速度、ＱｏＳ（Ｑｕａｌｉｔｙ  ｏｆ  Ｓｅｒｖｉｃｅ）、暗号化値などのリンク階層パラメーターを含む。イベント根源地は、‘Ｌｏｃａｌ  ＭＡＣ’と‘Ｒｅｍｏｔｅ  ＭＡＣ’である。表７は、‘Ｌｉｎｋ＿Ｐａｒａｍｅｔｅｒｓ＿Ｃｈａｎｇｅ’のパラメーターを示している。
【００２０】
【表７】
2008530942.tif 000009
図４は、移動端末が現在接続しているリンクの品質が低下し、新しいリンクを設定するときまで発生するトリガーを示す例示図である。
【００２１】
情報サービス（Ｉｎｆｏｒｍａｔｉｏｎ  Ｓｅｒｖｉｃｅ）は、ネットワーク発見及び選択に必要なネットワークに対する詳細な情報を提供し、何れのネットワークからも接近可能でなければならない。情報サービスは、リンク接近パラメーター（ｌｉｎｋ  ａｃｃｅｓｓ  ｐａｒａｍｅｔｅｒ）、保安メカニズム（ｓｅｃｕｒｉｔｙ  ｍｅｃｈａｎｉｓｍ）、ネイバーマップ（Ｎｅｉｇｈｂｏｒ  Ｍａｐ）、位置（Ｌｏｃａｔｉｏｎ）、サービス提供者及び他のアクセス情報（Ｐｒｏｖｉｄｅｒ  ａｎｄ  ｏｔｈｅｒ  Ａｃｃｅｓｓ  Ｉｎｆｏｒｍａｔｉｏｎ）、リンク費用（Ｃｏｓｔ  ｏｆ  ｌｉｎｋ）などの情報要素を含むべきである。
【００２２】
以下では、‘Ｍｏｂｉｌｅ  ＩＰｖ４’に対して説明する。
【００２３】
モバイルＩＰを支援するネットワークは、ホームエージェント（Ｈｏｍｅ  Ａｇｅｎｔ）、訪問エージェント（Ｆｏｒｅｉｇｎ  Ａｇｅｎｔ）及び移動端末を含んで構成される。モバイルＩＰを動作するためには、エージェント発見（ａｇｅｎｔ  ｄｉｓｃｏｖｅｒｙ）、登録（ｒｅｇｉｓｔｒａｔｉｏｎ）、ルーティング（ｒｏｕｔｉｎｇ）、臨時住所（ＣｏＡ）などの機能が必要である。以下、それぞれに対して説明する。
【００２４】
エージェント発見は、現在、移動端末がホームネットワークに連結されているか、または、訪問ネットワークに位置しているかを決定する方法である。この方法によって、移動端末は、他のネットワークに移動したことを感知することができる。
【００２５】
登録機能は、移動端末が他のネットワークに移動したことを探知したとき、現在の位置情報をホームエージェントに伝達し、新しいネットワーク上でもホームネットワーク上で受けていたサービス提供をそのまま受けられる融通性のあるメカニズムを提供する。
【００２６】
ルーティング機能は、移動端末が外部ネットワークに接続されているとき、前記移動端末からまたは前記移動端末に送受信されるデータグラム（ｄａｔａｇｒａｍ）を適切にルーティングするために必要な機能である。
【００２７】
臨時住所（ＣｏＡ）機能は、移動端末が他のサブネットに移動したときに臨時住所を設定する機能であり、‘ＦＡ―ＣｏＡ’及び‘ｃｏ―ｌｏｃａｔｅｄ  ＣｏＡ’などの二つの方法によって臨時住所の可能性を提供することができる。‘ＦＡ―ＣｏＡ’方法は、エージェント広告（Ａｇｅｎｔ  Ａｄｖｅｒｔｉｓｅｍｅｎｔ）メッセージを通して外部エージェント（Ｆｏｒｅｉｇｎ  Ａｇｅｎｔ）によって提供され、外部エージェントのＩＰ住所が臨時住所として用いられる。‘ｃｏ―ｌｏｃａｔｅｄ  ＣｏＡ’方法は、移動ノードが、訪問ネットワーク（Ｆｏｒｅｉｇｎ  Ｎｅｔｗｏｒｋ）に位置しているＤＨＣＰサーバーを通して臨時住所の割当を受ける方式である。
【００２８】
Ｍｏｂｉｌｅ  ＩＰｖ４は、基本的に上位階層の透明な移動性支援を目標とし、これを支援するためには、移動ホスト（Ｍｏｂｉｌｅ  Ｈｏｓｔ）、ホームエージェント（Ｈｏｍｅ  Ａｇｅｎｔ）、訪問エージェント（Ｆｏｒｅｉｇｎ  Ａｇｅｎｔ）機能が追加されるべきである。しかしながら、経路最適化を使用しない場合、移動端末と通信する相手ノード（Ｃｏｒｒｅｓｐｏｎｄｅｎｔ  Ｎｏｄｅ）の変更は必要でない。ここで、移動ホストは、移動性が支援されるＩＰホストを示し、ホームエージェントは、移動ホストに対する位置情報を維持し、訪問エージェントにまたは移動ホストに対するトンネリング（ｔｕｎｎｅｌｉｎｇ）を行うルータを意味し、訪問エージェントは、訪問網で移動性を支援するルータを意味する。
【００２９】
図５は、Ｍｏｂｉｌｅ  ＩＰｖ４での基本的な動作を説明するための図である。図５の各段階での動作に対する説明は、次の通りである。
【００３０】
（１）移動ホストが自身のホームネットワークから訪問ネットワークに移動する場合、移動ホストは、訪問ネットワークで放送される広告メッセージを受信することで、自身が移動したことを認識し、ホームネットワークにあるホームエージェントに自身の現在位置を示す臨時住所（ＣｏＡ）を登録する。
【００３１】
（２）このとき、ＣｏＡは、訪問エージェントのＩＰ住所（ＦＡ―ＣｏＡ）であるか、訪問ネットワークによってＤＨＣＰなどを通して移動ホストに臨時に割り当てられた住所（Ｃｏ―ｌｏｃａｔｅｄ  ＣｏＡ）である。外部から移動ホストに送られる各パケットはホーム網に伝送され、これらパケットは、移動端末の移動を認知しているホームエージェントによって横取りされる。
【００３２】
（３）ホームエージェントは、移動ホストに伝達されるパケットを、ＦＡの住所を目的地として（ＦＡ―ＣｏＡが用いられる場合）カプセル化（ｅｎｃａｐｓｕｌａｔｉｏｎ）した後、訪問エージェントに伝達する。
【００３３】
（４）カプセル化されて伝達されたパケットは、訪問エージェントによって逆カプセル化（ｄｅ―ｃａｐｓｕｌａｔｉｏｎ）されて最初の伝達パケットに復旧された後、移動ホストに最終的に伝達される。
【００３４】
（５）移動ホストから相手ホストに伝達されるパケットは、訪問エージェントを通して直ちに伝達されるか、イングレスフィルタリング（ｉｎｇｒｅｓｓ  ｆｉｌｔｅｒｉｎｇ）の問題がある場合、逆方向トンネルを用いて伝達される。
【００３５】
マルチモードで構成された移動端末の媒体接近制御階層（ＭＡＣ）は、現在連結されているリンクの信号品質が低下するとき、ＭＩＨに‘Ｌｉｎｋ＿Ｇｏｉｎｇ＿Ｄｏｗｎ’トリガーを伝送した後でスキャニング過程を実行する。このとき、他のインターフェースの媒体接近制御階層から新しいリンクが検索された場合、リンク設定をした後、以前に連結されていたリンクとの接続を解除する過程が必要であるが、既存のトリガーのみではこの過程を行えないという問題点がある。
【発明の開示】
【発明が解決しようとする課題】
【００３６】
本発明は、上記のような従来の問題点を解決するためになされたもので、その目的は、マルチモードで構成された移動端末において、ハンドオーバー遂行によって新しいリンクに接続した後、以前のリンクとの接続及びネットワークとの連結を効率的を解除できる移動端末のハンドオーバー遂行後におけるリンク解除方法を提供することにある。
【００３７】
本発明の他の目的は、上記のような目的を行える移動端末を提供することにある。
【課題を解決するための手段】
【００３８】
上記のような技術的課題を解決するための本発明の一様相として、本発明に係る移動端末のハンドオーバー遂行後におけるリンク解除方法は、マルチモードで構成された移動端末のハンドオーバー遂行後におけるリンク解除方法において、新しいリンクとの連結を設定する段階と、前記新しいリンクとの連結設定を知らせるトリガーイベントを発生させる段階と、以前のリンクとの連結解除を指示するトリガーイベントを発生させる段階とを含んで構成されることを特徴とする。
【００３９】
本発明の他の様相として、本発明に係る移動端末は、ハンドオーバーによって新しいリンクとの連結設定を知らせるトリガーイベントを発生させる前記新しいリンクの媒体接近制御（Ｍｅｄｉｕｍ  Ａｃｃｅｓｓ  Ｃｏｎｔｒｏｌ：ＭＡＣ）階層と、前記新しいリンクとの連結設定を知らせるトリガーイベントを受けた後、以前のリンクとの連結解除を指示するトリガーイベントを発生させるハンドオーバー機能エンティティーと、前記新しいリンクとの連結設定を知らせるトリガーイベントを受けた後、前記以前のリンクとの連結を解除する前記以前のリンクの媒体接近制御階層と、前記新しいリンクとの連結設定を知らせるトリガーイベントを受けた後、前記以前のリンクに対する接続点または前記新しいリンクに対する接続点に登録解除要請メッセージを伝送するネットワーク階層とを含んで構成されることを特徴とする。
【００４０】
本発明に係る移動端末のハンドオーバー遂行後におけるリンク解除方法の細部的な特徴として、前記新しいリンクとの連結設定を知らせるトリガーイベントを発生させた後、前記以前のリンクとの連結を解除する段階をさらに含む。
【００４１】
本発明に係る移動端末のハンドオーバー遂行後におけるリンク解除方法の他の細部的な特徴として、前記新しいリンクとの連結設定を知らせるトリガーイベントは、前記新しいリンクの媒体接近制御（Ｍｅｄｉｕｍ  Ａｃｃｅｓｓ  Ｃｏｎｔｒｏｌ：ＭＡＣ）階層から発生し、前記新しいリンクとの連結設定を知らせるトリガーイベントは、ハンドオーバー機能エンティティーに伝達される。前記ハンドオーバー機能エンティティーは、媒介体独立ハンドオーバー（Ｍｅｄｉａ  Ｉｎｄｅｐｅｎｄｅｎｔ  Ｈａｎｄｏｖｅｒ：ＭＩＨ）機能エンティティーであることが好ましい。
【００４２】
本発明に係る移動端末のハンドオーバー遂行後におけるリンク解除方法の更に他の細部的な特徴として、好ましくは、前記以前のリンクとの連結解除を指示するトリガーイベントは、前記ＭＩＨ機能エンティティーから発生し、前記以前リンクの媒体接続制御階層及びネットワーク階層に伝達される。
【００４３】
本発明に係る移動端末のハンドオーバー遂行後におけるリンク解除方法の更に他の細部的な特徴として、前記以前のリンクのネットワーク階層が前記以前のリンクまたは前記新しいリンクに対する接続点に登録解除要請メッセージを伝送する段階と、前記以前のリンクに対する接続点がホームエージェントに前記登録解除要請メッセージを伝達する段階とをさらに含む。
【産業上の利用可能性】
【００４４】
本発明は、広帯域無線接続システムや無線移動通信システムなどの通信システムで利用可能である。
【発明を実施するための最良の形態】
【００４５】
以下、添付の図面を参照して説明される本発明の好適な実施例によって、本発明の構成、作用及び他の特徴を容易に理解できるだろう。
【００４６】
図６は、ＩＰ移動性管理プロトコル（ＩＰ  ｍｏｂｉｌｉｔｙ  ｍａｎａｇｅｍｅｎｔ  ｐｏｔｏｃｏｌ）を備えた移動端末のプロトコルスタックを示した図である。図６では、前記移動性管理プロトコルとしてＤＨＣＰ（Ｄｙｎａｍｉｃ  Ｈｏｓｔ  Ｃｏｎｆｉｇｕｒａｔｉｏｎ  Ｐｒｏｔｏｃｏｌ）及びＭｏｂｉｌｅ  ＩＰｖ４のみを例示したが、ＩＰモバイル管理プロトコルは、組み合わせとして二つ以上位置することも可能である。図７は、本発明の好適な一実施例の手順フローチャートである。
【００４７】
マルチモードで構成された移動端末のＭＩＨ機能エンティティーは、現在接続中であるインターフェースのリンク品質が低下する場合、新しいリンクの媒体接続制御階層（ＬＬ  ｎｅｗ）から新しいインターフェースのリンクが利用可能であるという‘Ｌｉｎｋ＿Ａｖａｉｌａｂｌｅ’トリガーイベントを受けた後［Ｓ７１］、新しいリンクとの連結設定手順を実行する［Ｓ７２〜Ｓ７６］。
【００４８】
前記新しいリンクとの連結設定手順が完了すると、前記新しいインターフェースリンクの媒体接近制御階層（ＬＬ  ｎｅｗ）は、前記移動端末のＭＩＨ機能エンティティー及び前記新しいリンクに対する接続点のＭＩＨ機能エンティティーに、リンクが設定されたことを知らせる‘Ｌｉｎｋ＿ＵＰ’トリガーイベントを発生させて伝達する［Ｓ７７、Ｓ７８］。
【００４９】
前記移動端末のＭＩＨ機能エンティティーは、前記新しいリンクの媒体接近制御階層から前記‘Ｌｉｎｋ＿Ｕｐ’トリガーイベントを受けた後、前記以前のリンクと設定されていた連結を解除するために、‘Ｃｌｅａｒ＿Ｏｌｄｌｉｎｋ＿Ｃｏｎｎｅｃｔｉｏｎ’及び‘Ｃｌｅａｒ＿Ｌ３＿Ｃｏｎｎｅｃｔｉｏｎ’トリガーイベントを発生させ、以前の媒体接近制御階層（ＬＬ  ｏｌｄ）及び以前のネットワーク階層（ＨＬ  ｏｌｄ）にそれぞれ伝達する［Ｓ７９、Ｓ８０］。
【００５０】
次の表８及び表９は、前記‘Ｃｌｅａｒ＿Ｏｌｄｌｉｎｋ＿Ｃｏｎｎｅｃｔｉｏｎ’トリガーイベント及び‘Ｃｌｅａｒ＿Ｌ３＿Ｃｏｎｎｅｃｔｉｏｎ’トリガーイベントを構成するパラメーターの一例をそれぞれ示している。
【００５１】
【表８】
2008530942.tif 000010
【００５２】
【表９】
2008530942.tif 000011
前記移動端末の以前の媒体接近制御階層（ＬＬ  ｏｌｄ）は、前記‘Ｃｌｅａｒ＿Ｏｌｄｌｉｎｋ＿Ｃｏｎｎｅｃｔｉｏｎ’トリガーイベントを受けた後、以前のリンクの連結を解除する。
【００５３】
前記移動端末の以前のネットワーク階層（ＨＬ  ｏｌｄ）は、前記‘Ｃｌｅａｒ＿Ｌ３＿Ｃｏｎｎｅｃｔｉｏｎ’トリガーイベントを受けた後、現在の接続点を通してホームエージェントに登録解除要請（ＭＩＰ  Ｄｅ―ｒｅｇｉｓｔｒａｔｉｏｎ）メッセージを伝送し、ネットワーク連結を解除する［Ｓ８１、Ｓ８２］。
【００５４】
図８は、本発明の好適な他の実施例の手順フローチャートである。図８に示した実施例において、段階Ｓ８５及びＳ８６を除いた残りの段階は、図７の実施例と同一である。すなわち、図７の実施例における前記移動端末の以前のネットワーク階層（ＨＬ  ｏｌｄ）は、前記‘Ｃｌｅａｒ＿Ｌ３＿Ｃｏｎｎｅｃｔｉｏｎ’トリガーイベントを受けた後、現在の接続点を通してホームエージェントに登録解除要請（ＭＩＰ  Ｄｅ―ｒｅｇｉｓｔｒａｔｉｏｎ）メッセージを伝送してネットワーク連結を解除するが、図８の実施例における前記移動端末の以前のネットワーク階層（ＨＬ  ｏｌｄ）は、前記‘Ｃｌｅａｒ＿Ｌ３＿Ｃｏｎｎｅｃｔｉｏｎ’トリガーイベントを受けた後、新しい接続点を通してホームエージェントに登録解除要請（ＭＩＰ  Ｄｅ―ｒｅｇｉｓｔｒａｔｉｏｎ）メッセージを伝送してネットワーク連結を解除する点で差異がある。
【００５５】
図９は、本発明において、多重モード移動端末のプロトコルスタックに二つ以上の移動性管理（Ｍｏｂｉｌｉｔｙ  Ｍａｎａｇｅｍｅｎｔ：ＭＭ）プロトコルが存在する場合、トリガーイベントが伝達される手順を説明するための図である。新しくハンドオーバーする網への接続が完了した後、以前の網との接続を解除するために、全てのスタックと通信可能なＭＩＨでは、解除トリガーイベント（Ｃｌｅａｒ＿Ｏｌｄｌｉｎｋ＿Ｃｏｎｎｅｃｔｉｏｎ）を以前のリンクプロトコルスタックの第２階層（Ｌａｙｅｒ  ２）に伝送する。そして、新しく接続する網で使用可能な移動性管理プロトコルが異なる場合、以前に使用したＭＭで連結していた第３階層（Ｌａｙｅｒ３）連結を解除するトリガーイベントを以前のＭＭに伝送し、以前の第３階層連結を解除する。新しくハンドオーバーする網で使用可能な移動性管理プロトコルが同一である場合、図９の‘Ｃｌｅａｒ＿Ｌ３＿Ｃｏｎｎｅｃｔｉｏｎ’トリガーイベントを伝達する必要がない。
【００５６】
本発明は、本発明の精神及び必須的な特徴を逸脱しない範囲で、他の特定の形態に具体化されうることが当業者にとって自明である。したがって、上記の詳細な説明は、全ての面で制限的に解析されてはならなく、例示的なものとして考慮されるべきである。本発明の範囲は、添付の特許請求の範囲の合理的な解析によって決定されるべきであり、本発明の等価的範囲内での全ての変更は本発明の範囲に含まれる。
【００５７】
本発明に係る移動端末のハンドオーバー遂行後におけるリンク解除方法及びその移動端末によると、移動端末において、ハンドオーバー遂行によって新しいリンクに接続した後、以前のリンクとの接続及びネットワークとの連結を効率的に解除できるという効果がある。
【図面の簡単な説明】
【００５８】
【図１】従来技術に係るマルチモードで構成された移動端末のプロトコル階層構成を示した図である。
【図２】従来技術に係るＭＩＨ機能を含む移動端末とネットワークの機能的エンティティー及び伝送プロトコルを説明するための図である。
【図３】従来技術に係るトリガーモデルに対する構造を示した図である。
【図４】従来技術において、移動端末が現在接続しているリンクの品質が低下し、新しいリンクを設定するまでに発生するトリガーを示した例示図である。
【図５】従来技術に係るＭｏｂｉｌｅ  ＩＰｖ４での基本的な動作を説明するための図である。
【図６】ＩＰ移動性管理プロトコル（ＩＰ  ｍｏｂｉｌｉｔｙ  ｍａｎａｇｅｍｅｎｔ  ｐｒｏｔｏｃｏｌ）を備えた移動端末のプロトコルスタックを示した図である。
【図７】本発明の好適な一実施例の手順フローチャートである。
【図８】本発明の好適な他の実施例の手順フローチャートである。
【図９】本発明において、多重モード移動端末のプロトコルスタックに二つ以上の移動性管理プロトコルが存在する場合、トリガーイベントが伝達される手順を説明するための図である。
【図１】
2008530942.tif 000012
【図２】
2008530942.tif 000013
【図３】
2008530942.tif 000014
【図４】
2008530942.tif 000015
【図５】
2008530942.tif 000016
【図６】
2008530942.tif 000017
【図７】
2008530942.tif 000018
【図８】
2008530942.tif 000019
【図９】
2008530942.tif 000020
【国際調査報告】
2008530942.tif 000021
2008530942.tif 000022